(57)【要約】【課題】切替のみを意識したユーザによる切替操作や、装置の処理部により暗い場所での撮影かどうかを判定する処理等を特別に設けることなく、ユーザの使用状態に応じたコントラスト切替を可能とする。【解決手段】リスト端末は、表示対象を表示する表示部と、表示部の明るさを上げる変更部であって、明るさを上げる指示を受信する変更部と、変更部が明るさを上げる指示を受信したことを受けて、表示部の表示対象のコントラストを変更する制御部と、を備える。【選択図】図２
2019158972.tif 000002
【特許請求の範囲】
【請求項１】
表示対象を表示する表示部と、
前記表示部の明るさを上げる変更部であって、明るさを上げる指示を受信する変更部と、
前記変更部が前記指示を受信したことを受けて、前記表示部の前記表示対象のコントラストを変更する制御部と、
を備えるリスト端末。
【請求項２】
表示対象を表示する表示部と、
前記表示部の表示に用いる電力を発電するソーラ発電部の発電状態を判定するための照度検出部と、
前記照度検出部の出力値が所定閾値以下である場合に節電モードに移行する制御を行う制御部であって、前記照度検出部の出力値が前記所定閾値以下である場合に前記表示部の前記表示対象のコントラストを変更する制御部と、
を備えるリスト端末。
【請求項３】
前記制御部は、前記表示対象を含む表示態様をカラー表示から白黒表示に変更することで前記コントラストを変更する、請求項１または請求項２に記載のリスト端末。
【請求項４】
前記制御部は、前記表示対象のフォントの太さ又は大きさのうち少なくとも一方を変更することで前記コントラストを変更する、請求項１から請求項３いずれか１項に記載のリスト端末。
【請求項５】
前記制御部は、フォントの太さ又は大きさのうち少なくとも一方を変更する際に、前記表示対象のフォントの間隔又は行間のうち少なくとも一方を変更する、請求項４に記載のリスト端末。
【請求項６】
前記制御部は、前記表示部に供給する電力の電圧値を変更することで前記コントラストを変更する、請求項１から請求項５いずれか１項に記載のリスト端末。
【請求項７】
前記制御部は、前記表示対象と表示非対象とのそれぞれの明るさを変更することで前記コントラストを変更する、請求項１から請求項６いずれか１項に記載のリスト端末。
【請求項８】
リスト端末における表示制御方法であって、
表示対象を表示する表示部の明るさを上げる指示を受信するステップと、
前記指示を受信したことを受けて、前記表示部の明るさを上げるとともに、前記表示部の前記表示対象のコントラストを変更するステップと、
を含む表示制御方法。
【請求項９】
リスト端末における表示制御方法であって、
表示対象を表示する表示部の表示に用いる電力を発電するソーラ発電部の発電状態を判定するための照度を検出するステップと、
検出した照度が所定閾値以下である場合に節電モードに移行する制御を行うとともに、前記表示部の前記表示対象のコントラストを変更するステップと、
を含む表示制御方法。
【発明の詳細な説明】
【技術分野】
【０００１】
本発明は、リスト端末及び表示制御方法に関する。
【背景技術】
【０００２】
従来より、ユーザが色弱者である場合や暗い場所にいる場合であっても画面表示を見やすくするため、カラー表示から白黒表示に切り替えることでコントラストを高める方法がある。
例えば、タッチパネル式の操作表示部に通常はカラーの画面を表示し、画面中のボタンを利用者に操作させて、操作に応じた処理を行う端末装置の画面表示方法において、表示切り替え手段の操作によりカラー表示された画面を白黒２色の表示に切り替えることを特徴とするタッチパネル端末が知られている（例えば、特許文献１参照）。
【０００３】
また、例えば、被写体を撮像し、カラーの被写体像を表すカラー画像データを出力するカラー撮像手段およびカラー撮像手段から出力されたカラー画像データによって表されるカラー被写体像を表示する表示装置を備えた携帯型撮像装置において，暗い場所での撮影かどうかを判定する判定手段、判定手段によって暗い場所での撮影と判定されたことに応じて、カラー撮像手段から出力されたカラー画像データを白黒画像を表す白黒画像データに変換するデータ変換手段、ならびにデータ変換手段によって変換された白黒画像データによって表される白黒の被写体像を表示するように表示装置を制御する第１の表示制御手段、を備えたカメラが知られている（例えば、特許文献２参照）。
【０００４】
また、例えば、アナログ腕時計の液晶型または類似した、少なくとも一つのデジタル表示スクリーン上での、例えば、時間情報または日付などの時間に関係するデータのデジタル表示方法であって、そのアナログ腕時計は、時間及び分表示用の少なくとも二つの針、時間合わせ及び日付合わせ軸に接続された時間合わせ竜頭及び該時計の全機能を管理するマイクロプロセッサを備えており、デジタル表示スクリーンの背景に対してコントラストで上記データを表示する方法において、午後零時と午前零時とでコントラストを逆転させて、午前（ＡＭ）と午後（ＰＭ）を区別することを特徴とし、及び、マイクロプロセッサによる該データのディスプレイ用の針の自動制御及びこのディスプレイのコントラストの逆転が時間合わせ軸の回転中の接点の作動によって得られる時計が知られている（例えば、特許文献３参照）。
【先行技術文献】
【特許文献】
【０００５】
【特許文献１】特開２００１−２２８９４８号公報
【特許文献２】特開２００１−３５９１０８号公報
【特許文献３】特表２０１０−５３００６４号公報
【発明の概要】
【発明が解決しようとする課題】
【０００６】
しかしながら、特許文献１〜３に記載の技術では、カラー表示と白黒表示とを切り替える等の手段により表示部のコントラストを切替えているため、当該切替のみを意識したユーザによる切替操作や、装置の処理部により暗い場所での撮影かどうかを判定する処理等を特別に設ける必要が生じうる。ユーザによる切替操作は手間が掛かりユーザにとって煩わしい。また、判定処理を行うにはハードウェアやソフトウェアの処理負荷が大きく、ハードウェアの配置に制限があり、電力的に処理量に制限がある腕時計等のリスト端末に導入することは難しい。
【０００７】
本発明は上述の事情を鑑みてなされたものであり、切替のみを意識したユーザによる切替操作や、装置の処理部により暗い場所での撮影かどうかを判定する処理等を特別に設けることなく、ユーザの使用状態に応じたコントラスト切替を可能とするリスト端末及び表示制御方法を提供することを目的とする。
【課題を解決するための手段】
【０００８】
上記目的を達成するため、本発明の一態様に係るリスト端末（１００）は、表示対象を表示する表示部（１０３）と、前記表示部の明るさを上げる変更部であって、明るさを上げる指示を受信する変更部（１０１１）と、前記変更部が前記指示を受信したことを受けて、前記表示部の前記表示対象のコントラストを変更する制御部（１０１）と、を備える。
【０００９】
上記目的を達成するため、本発明の一態様に係るリスト端末（１００）は、表示対象を表示する表示部（１０３と、前記表示部の表示に用いる電力を発電するソーラ発電部の発電状態を判定するための照度検出部（１０７）と、前記照度検出部の出力値が所定閾値以下である場合に節電モードに移行する制御を行う制御部（１０１）であって、前記照度検出部の出力値が前記所定閾値以下である場合に前記表示部の前記表示対象のコントラストを変更する制御部と、を備える。
【００１０】
また、本発明の一態様に係るリストにおいて、前記制御部は、前記表示対象を含む表示態様をカラー表示から白黒表示に変更することで前記コントラストを変更するようにしてもよい。
【００１１】
また、本発明の一態様に係るリストにおいて、前記制御部は、前記表示対象のフォントの太さ又は大きさのうち少なくとも一方を変更することで前記コントラストを変更するようにしてもよい。
【００１２】
また、本発明の一態様に係るリストにおいて、前記制御部は、フォントの太さ又は大きさのうち少なくとも一方を変更する際に、前記表示対象のフォントの間隔又は行間のうち少なくとも一方を変更するようにしてもよい。
【００１３】
また、本発明の一態様に係るリストにおいて、前記制御部は、前記表示部に供給する電力の電圧値を変更することで前記コントラストを変更するようにしてもよい。
【００１４】
また、本発明の一態様に係るリストにおいて、前記制御部は、前記表示対象と表示非対象とのそれぞれの明るさを変更することで前記コントラストを変更するようにしてもよい。
【００１５】
上記目的を達成するため、本発明の一態様に係るは、リスト端末における表示制御方法であって、表示対象を表示する表示部の明るさを上げる指示を受信するステップと、前記指示を受信したことを受けて、前記表示部の明るさを上げるとともに、前記表示部の前記表示対象のコントラストを変更するステップと、を有する表示制御方法である。
【００１６】
また、本発明の一態様の表示制御方法は、リスト端末における表示制御方法であって、表示対象を表示する表示部の表示に用いる電力を発電するソーラ発電部の発電状態を判定するための照度を検出するステップと、検出した照度が所定閾値以下である場合に節電モードに移行する制御を行うとともに、前記表示部の前記表示対象のコントラストを変更するステップと、を含む。
【発明の効果】
【００１７】
本発明によれば、コントラストの変更に専用の処理を設けることなく、ユーザの使用状態に応じたコントラスト切替が可能である。
【図面の簡単な説明】
【００１８】
【図１】第１実施形態におけるリスト端末の外観を示す正面図である。
【図２】第１実施形態におけるリスト端末の構成を示すブロック図である。
【図３】白黒表示のときの液晶素子の状態を示す図である。
【図４】カラー表示のときの液晶表示の状態を示す図である。
【図５】第１実施形態における通常時の表示態様の一例を示すイメージ図である。
【図６】第１実施形態におけるコントラスト変更後の表示態様の一例を示すイメージ図である。
【図７】第１実施形態におけるコントラスト変更後の表示態様の他の例を示すイメージ図である。
【図８】第１実施形態におけるコントラスト変更後の表示態様の他の例を示すイメージ図である。
【図９】第１実施形態におけるリスト端末が実行するコントラスト変更処理の処理手順を示したフローチャートである。
【図１０】第２実施形態におけるリスト端末が実行するコントラスト変更処理の処理手順を示したフローチャートである。
【図１１】指針で時刻を表示する場合における表示例を示すイメージ図である。
【発明を実施するための形態】
【００１９】
以下、本発明の一実施形態について、図面を参照しながら説明する。なお、以下の説明に用いる図面では、各部材を認識可能な大きさとするため、各部材の縮尺を適宜変更している。
【００２０】
［第１実施形態］
まず、第１実施形態について説明する。図１は、本実施形態におけるリスト端末１００の外観を示す正面図である。リスト端末１００は、例えば腕時計（電子時計）等の、正面に表示部１０３を備え、ベルトＢにより腕等の身体の一部に装着可能な携帯型の電子機器である。
【００２１】
図１に示すように、リスト端末１００は、表示部１０３と、明るさ操作ボタン１０４と、操作ボタン１０５とを備える。表示部１０３は、液晶ディスプレイや有機ＥＬ（Ｅｌｅｃｔｒｏ  Ｌｕｍｉｎｅｓｃｅｎｃｅ）ディスプレイや電子インクや記憶型液晶ディスプレイ等の表示装置であり、例えば時刻等の表示対象を表示する。なお、表示部１０３が、液晶ディスプレイや電子インクや記憶型液晶ディスプレイ等の場合、表示部１０３はＬＥＤ（発光ダイオード）等を備えている。
【００２２】
明るさ操作ボタン１０４は、表示部１０３の明るさを上げる指示を受け付ける操作ボタンである。操作ボタン１０５は、操作入力を受け付ける入力部である。なお、本実施形態では、操作ボタン１０５が１つである場合を例示しているが、これに限らず、入力部は複数の操作ボタン１０５から構成されていてもよい。
【００２３】
図２は、本実施形態におけるリスト端末１００の構成を示すブロック図である。図２に示す例では、リスト端末１００は、制御部１０１と、記憶部１０２と、表示部１０３と、明るさ操作ボタン１０４と、操作ボタン１０５と、電池１０６と、照度検出部１０７と、ソーラ発電部１０８とを備える。
【００２４】
制御部１０１は、ＣＰＵ（Ｃｅｎｔｒａｌ  Ｐｒｏｃｅｓｓｉｎｇ  Ｕｎｉｔ；中央演算装置）を備え、リスト端末１００が備える各部の制御を行う。制御部１０１は、変更部１０１１と、表示制御部１０１２とを備える。変更部１０１１は、表示部１０３の明るさを上げる変更部であって、表示部１０３の明るさを上げる指示を明るさ操作ボタン１０４から受信する。表示制御部１０１２は、表示部１０３の表示を制御する。例えば、表示制御部１０１２は、記憶部１０２からフォントデータを読み出して、読みだしたフォントデータに基づいて表示部１０３に表示対象を表示する。また、表示制御部１０１２は、変更部１０１１が明るさを上げる指示を受信したことを受けて、表示部１０３の表示を明るくするとともに、表示部１０３の表示対象のコントラストを変更する。コントラストの変更方法の詳細については後述する。
【００２５】
記憶部１０２は、ＲＡＭ（Ｒａｎｄｏｍ  Ａｃｃｅｓｓ  Ｍｅｍｏｒｙ、ランダムアクセスメモリ）やＲＯＭ（Ｒｅａｄ  Ｏｎｌｙ  Ｍｅｍｏｒｙ、読み出し専用メモリ）等を備え、種々の情報を記憶する。例えば、記憶部１０２は、表示部１０３に表示するフォントに関するフォントデータを記憶する。また、記憶部１０２は、制御部１０１が実行する動作用プログラムを予め記憶している。この動作用プログラムは、制御部１０１の起動時に読み出される。
【００２６】
電池１０６は、リスト端末１００が備える各部に、動作するための電力を供給する二次電池である。照度検出部１０７は、ソーラ発電部１０８の発電状態を判定するためのものであり、周囲の照度を検出する照度センサである。ソーラ発電部１０８は、光（太陽、照明など）を受光して電気エネルギーに変換する太陽電池である。ソーラ発電部１０８は、電池１０６を充電する。つまり、ソーラ発電部１０８は、表示部１０３の表示等、リスト端末１００の各処理に用いる電力を発電する。
【００２７】
次に、リスト端末１００における動作を説明する。例えば、ユーザは周囲が暗くなり、表示部１０３の表示が視認しづらくなったときなどに、表示部１０３の表示を明るくするための明るさ操作ボタン１０４を押下する。通常のリスト端末１００では、明るさ操作ボタン１０４が入力を受け付けると、表示部１０３の表示を明るくし、暗所でも表示が視認しやすい（見やすい）ようにする。例えば、リスト端末１００の表示制御部１０１２は、表示部１０３が液晶ディスプレイである場合には、表示器のバックライトを点灯することにより表示部１０３の表示を明るくする。また、表示制御部１０１２は、表示部１０３が有機ＥＬディスプレイである場合には、輝度を上げることにより表示部１０３の表示を明るくする。
【００２８】
すなわち、明るさ操作ボタン１０４が押下されるときは、周囲が暗い等の理由により、表示部１０３の表示が視認しづらくなっている状態であると推測できる。よって、リスト端末１００は、表示部１０３の表示を明るくする指示を明るさ操作ボタン１０４が受け付けた場合に、表示部１０３の表示を明るくするとともに、表示部１０３に表示されている表示対象のコントラストを変更して、表示部１０３における視認性を向上させる。
【００２９】
コントラストの変更方法について具体的に説明する。まず、カラーで表示するカラー表示と白及び黒のみで表示する白黒表示とのそれぞれのコントラストについて、表示部１０３が液晶ディスプレイである場合を例に説明する。
【００３０】
図３は、白黒表示のときの液晶素子の状態を示す図である。図３（Ａ）に示すように、白を表示する際には、液晶素子の全ての領域が消灯（０％点灯）する。一方、図３（Ｂ）に示すように、黒を表示する際には、液晶素子の全ての領域が点灯（１００％点灯）する。よって、白黒表示の場合、消灯と点灯との液晶素子における面積比は、０：１００である。なお、本実施形態では、消灯時の液晶素子を白、点灯時の液晶素子を黒で表している。実際の表示は、消灯時が黒、点灯時が白であってもよい。
【００３１】
図４は、カラー表示のときの液晶表示の状態を示す図である。なお、図４において、液晶素子は、紙面の左から右にＲ（赤）Ｇ（緑）Ｂ（青）の領域を有している。
図４（Ａ）に示すように、白を表示する際には、ＲＧＢ３つ全ての液晶素子が消灯（０％、０／３点灯）する。図４（Ａ）に示すようなＲＧＢの領域を有する液晶素子で白を表示させる場合は、ＲＧＢ全ての領域を消灯（０％点灯）させる。すなわち、白の場合のＲＧＢ領域それぞれの値は（０、０、０）である。そして、黒を表示させる場合は、ＲＧＢ全ての領域を点灯（１００％点灯）させる。すなわち、黒の場合のＲＧＢ領域それぞれの値は（２５５、２５５、２５５）である。
【００３２】
ここで、カラー表示の場合には、白及び黒の他に、赤（Ｒのみ点灯；３３％点灯、１／３点灯）、緑（Ｇのみ点灯；３３％点灯、１／３点灯）、青（Ｂのみ点灯；３３％点灯、１／３点灯）、シアン（ＧＢのみ点灯；６６％点灯、２／３点灯）、黄（ＲＧのみ点灯；６６％点灯、２／３点灯）、マゼンタ（ＲＢのみ点灯；６６％点灯、２／３点灯）等の中間色が混じる。例えば、図４（Ｂ）に示すように、青を表示する際には、Ｂの液晶領域のみが点灯（３３％点灯）する。すなわち、液晶素子における面積比が赤：白とでは約３３：０である。よって、例えば、背景領域を白で表示する場合、表示対象を青で表示するときの方が、表示対象を黒で表示するときよりコントラストが低い。
【００３３】
また、図４（Ｃ）に示すように、黄土色を表示する際には、ＲＧの液晶素子それぞれが半分の輝度（１２７／２５５）で点灯する。すなわち、ＲＧＢ領域それぞれの値は（１２７、１２７、０）である。従って、黄土色は、黒（２５５、２５５、２５５）に比べると、白（０，０，０）との差が小さい。よって、例えば、背景領域を白で表示する場合、表示対象を黄土色で表示するときの方が、黒で表示するときよりコントラストが低い。
【００３４】
すなわち、カラー表示より白黒表示の方がコントラストが高い。よって、リスト端末１００は、コントラストを変更する第１の方法として、表示部１０３の表示対象を含む表示態様をカラー表示から白黒表示に変更する。これにより、コントラストを高くして視認性を向上させることができる。
【００３５】
図５は、本実施形態における通常時の表示態様の一例を示すイメージ図である。図示するように、表示制御部１０１２は、表示対象を含む表示態様をカラー表示で表示部１０３に表示する。本例における表示対象は、現在時刻「Ｐ（午後）  １２：００」、現在日付「２０１７．１０．１０」、ニューヨークの現在時刻「Ａ（午前）  １１：００」、当該時刻がニューヨークであることを示す文字列「Ｎｅｗ  Ｙｏｒｋ」、及び、当該時刻がニューヨークであることを示すイラストである。例えば、表示制御部１０１２は、現在時刻及び現在日付を緑で表示し、ニューヨークの現在時刻、文字列及びイラストを赤で表示する。また、表示制御部１０１２は、背景領域（表示非対象）を白（消灯）で表示する。背景領域を消灯とするのは、省電力のためである。
【００３６】
図６は、本実施形態におけるコントラスト変更後の表示態様の一例を示すイメージ図である。図示するように、表示制御部１０１２は、表示対象を含む表示態様をカラー表示から白黒表示に変更してコントラストを変更する。例えば、表示制御部１０１２は、背景領域の色（以下、「背景色」とする。）を白のまま、表示対象の色を全て黒に変更する。このように、表示部１０３の表示を白黒表示にすることにより、カラー表示に比べてコントラストが向上するため、視認性が向上し、例えば暗い場所等でも表示が視認しやすくなる。
【００３７】
図７は、本実施形態におけるコントラスト変更後の表示態様の他の例を示すイメージ図である。リスト端末１００は、コントラストを変更する第２の方法として、表示対象を含む表示態様をカラー表示のまま、表示対象のフォントの太さ又は大きさのうち少なくとも一方を変更する。例えば、表示制御部１０１２は、表示対象のフォントの幅を太くする。これにより、通常時よりコントラストが向上する。なお、表示制御部１０１２は、フォントの太さ又は大きさのうち少なくとも一方を変更する際に、フォント同士の間隔や行間を調整して変更してもよい。例えば、表示制御部１０１２は、フォントの幅を太くするとともに、フォント同士の間隔又は行間のうち少なくとも一方を広くする。これにより、フォント同士が近くなりすぎて視認しづらくなることを防ぎ、視認性を向上させることができる。
【００３８】
図８は、本実施形態におけるコントラスト変更後の表示態様の他の例を示すイメージ図である。本例では、リスト端末１００は、第１の方法及び第２の方法を組み合わせてコントラストを変更している。すなわち、表示制御部１０１２は、表示対象を含む表示態様をカラー表示から白黒表示に変更するとともに、表示対象のフォントの幅を太くする。このように、第１の方法及び第２の方法を組み合わせることにより、表示部１０３におけるコントラストをより向上させることができ、より視認性が向上する。
【００３９】
なお、上述した例では、背景色が白である場合を例に説明したが、これに限らず、背景色は黒であってもよい。
【００４０】
また、表示制御部１０１２は、上述した第１の方法及び第２の方法の他に、表示対象の表示色と背景色との輝度の比を変更する（表示対象と表示非対象とのそれぞれの明るさを変更する）ことにより、コントラストを変更してもよい。或いは、表示制御部１０１２は、表示部１０３がバックライトのない白黒のみの液晶ディスプレイである場合には、表示部１０３に供給する電力の電圧値を変更することにより、コントラストを変更してもよい。
【００４１】
図９は、本実施形態におけるリスト端末１００が実行するコントラスト変更処理の処理手順を示したフローチャートである。
【００４２】
（ステップＳ１０１）制御部１０１は、通常時の表示態様（カラー表示）で表示部１０３に表示対象を表示する。その後、ステップＳ１０２の処理に進む。
【００４３】
（ステップＳ１０２）制御部１０１は、明るさ操作ボタン１０４が押下され、入力を受け付けたか否かを判定する。明るさ操作ボタン１０４が押下されたと制御部１０１が判定した場合には、ステップＳ１０３の処理に進む。また、明るさ操作ボタン１０４が押下されていないと判定した場合には、ステップＳ１０１の処理に戻る。
【００４４】
（ステップＳ１０３）制御部１０１は、表示部１０３の明るさを明るくする。その後、ステップＳ１０４の処理に進む。
（ステップＳ１０４）制御部１０１は、表示部１０３のコントラストを変更する。その後、ステップＳ１０５の処理に進む。
【００４５】
（ステップＳ１０５）制御部１０１は、表示部１０３の明るさを明るくしてから所定時間経過したか否かを判定する。所定時間経過したと制御部１０１が判定した場合には、ステップＳ１０６の処理に進む。また、所定時間経過していないと制御部１０１が判定した場合には、ステップＳ１０５の処理を再度実行する。
【００４６】
（ステップＳ１０６）制御部１０１は、表示部１０３の明るさを元に戻す。その後、ステップＳ１０７の処理に進む。
（ステップＳ１０７）制御部１０１は、変更した表示部１０３のコントラストを通常時のものに戻す。その後、ステップＳ１０１の処理に戻る。
【００４７】
なお、上述したフローチャートでは、リスト端末１００は、表示部１０３の明るさを元に戻す際に、表示部１０３のコントラストを通常時のものに戻しているが、これに限らず、表示部１０３の明るさを元に戻すタイミングとは異なるタイミングでコントラストを戻してもよい。例えば、リスト端末１００は、表示部１０３の明るさを元に戻す時間と異なる所定時間経過後に自動でコントラストを戻してもよいし、他の操作ボタン１０５が入力を受け付けた際等にコントラストを戻してもよい。
【００４８】
また、本実施形態では、変更部１０１１は、明るさ操作ボタン１０４から明るさを上げる指示を受信しているが、これに限らず、例えば、他の電子機器（例えば、携帯電話機やスマートフォンやパーソナルコンピュータ等）と通信する通信部を介して、当該他の電子機器から明るさを上げる指示を受信してもよい。
【００４９】
上述したとおり、本実施形態におけるリスト端末１００は、表示対象を表示する表示部１０３と、表示部１０３の明るさを上げる変更部１０１１であって、明るさを上げる指示を受信する変更部１０１１と、変更部１０１１が指示を受信したことを受けて、表示部１０３の表示対象のコントラストを変更する表示制御部１０１２と、を備える。
【００５０】
これにより、リスト端末１００は、表示部１０３の明るさを上げる際に、自動的にコントラストを変更することができる。このため、コントラストを向上させる必要がある場面（例えば、暗い場所）にて、ユーザが意識することなく、自動的にコントラストを変更して視認性を向上させ、より視認しやすい表示に切り替えることができる。また、それ以外の状況では、通常時のカラー表示を保つことができ、コントラストを向上させて表示を視認しやすくする必要がある状況のときのみ、コントラストを変更することができる。また、リスト端末１００は、コントラストの変更に専用の処理を設けず、表示部１０３の明るさを上げる処理と兼用している。よって、リスト端末１００は、切替のみを意識したユーザによる切替操作や、装置の処理部により暗い場所での撮影かどうかを判定する処理等を特別に設けることなく、ユーザの使用状態に応じたコントラスト切替が可能である。つまり、コントラスト変更の処理に関わる専用のハードウェアの増設が不要であり、処理負荷の増大を抑制できる。これにより、ハードウェアの配置に制限があり、電力的に処理量に制限がある、リスト端末１００においても、使用状態毎のユーザによる表示部１０３の視認性を向上させ、その利便性を確保できる。
【００５１】
また、表示制御部１０１２は、表示対象を含む表示態様をカラー表示から白黒表示に変更することでコントラストを変更する。これにより、コントラストを上げて視認性を向上させることができる。
【００５２】
また、表示制御部１０１２は、表示対象のフォントの太さ又は大きさのうち少なくとも一方を変更することでコントラストを変更する。このとき、表示制御部１０１２は、表示対象の行間又はフォントの間隔のうち少なくとも一方を変更する。これにより、コントラストを上げて視認性を向上させることができる。
【００５３】
また、表示制御部１０１２は、表示部１０３に供給する電力の電圧値を変更することでコントラストを変更する。これにより、コントラストを上げて視認性を向上させることができる。
【００５４】
また、表示制御部１０１２は、表示対象と表示非対象とのそれぞれの明るさを変更することでコントラストを変更する。これにより、コントラストを上げて視認性を向上させることができる。
【００５５】
［第２実施形態］
続いて、第２実施形態について説明する。本実施形態におけるリスト端末１００の構成は、図１及び図２に示す第１実施形態のものと同様であるため、その説明を省略する。第１実施形態では、リスト端末１００は、明るさ操作ボタン１０４が入力を受け付けた際に、表示部１０３におけるコントラストを変更しているが、本実施形態では、照度検出部１０７が検出する照度が所定の閾値以下になると、表示部１０３におけるコントラストを変更する。
【００５６】
本実施形態におけるリスト端末１００は、通常時に動作する通常モードと、通常モード時より消費電力を低減する節電モードとの２つの動作モードを有する。リスト端末１００は、節電モードに移行すると、表示に関する機能以外の他の機能（例えば、他の機器との通信機能等）を無効にしたり、表示部１０３の表示を暗くすることにより、通常時より消費電力を低減させる。
【００５７】
リスト端末１００は、各部に電力を供給している電池１０６を充電しているソーラ発電部１０８の発電が少ない場合に、節電モードへ移行する。ここで、制御部１０１は、ソーラ発電部１０８の発電状態を、照度検出部１０７が検出する照度（出力値）に基づいて判定する。つまり、制御部１０１は、照度検出部１０７が検出する照度が所定の閾値以下である場合に、節電モードへ移行する。また、リスト端末１００は、ソーラ発電部１０８の発電が多くなると、節電モードから通常モードへ復帰する。すなわち、制御部１０１は、照度検出部１０７が検出する照度が所定の閾値より大きくなると、通常モードへ復帰する。
【００５８】
リスト端末１００は照度検出部１０７が検出する照度が所定の閾値以下になると、節電モードへ移行するため、節電モード時には周囲が暗いことが推測できる。また、リスト端末１００は節電モード時には表示部１０３の表示を暗くすることがあり、この場合には表示部１０３における視認性が低下する。よって、本実施形態におけるリスト端末１００は、照度検出部１０７が検出する照度が所定の閾値以下である場合に、節電モードへ移行するとともに、表示部１０３の表示対象のコントラストを変更する。コントラストの変更方法は、第１実施形態と同様であるため、その説明を省略する。
【００５９】
これにより、リスト端末１００は、周囲が暗くなると、自動的にコントラストを変更して視認性を向上させるため、暗い場所等であっても表示部１０３における表示が視認しづらくなることを防ぐことができる。
【００６０】
図１０は、本実施形態におけるリスト端末１００が実行するコントラスト変更処理の処理手順を示したフローチャートである。
【００６１】
（ステップＳ２０１）制御部１０１は、通常時の表示態様（カラー表示）で表示部１０３に表示対象を表示する。その後、ステップＳ２０２の処理に進む。
【００６２】
（ステップＳ２０２）制御部１０１は、照度検出部１０７が検出する照度が所定の閾値以下であるか否かを判定する。照度が閾値以下であると制御部１０１が判定した場合には、ステップＳ２０３の処理に進む。また、照度が閾値より大きいと判定した場合には、ステップＳ２０１の処理に戻る。
【００６３】
（ステップＳ２０３）制御部１０１は、節電モードに移行する。その後、ステップＳ２０４の処理に進む。
（ステップＳ２０４）制御部１０１は、表示部１０３のコントラストを変更する。その後、ステップＳ２０５の処理に進む。
【００６４】
（ステップＳ２０５）制御部１０１は、照度検出部１０７が検出する照度が所定の閾値より大きくなったか否かを判定する。照度が閾値より大きくなったと制御部１０１が判定した場合には、ステップＳ２０６の処理に進む。また、照度が閾値以下のままであると制御部１０１が判定した場合には、ステップＳ２０５の処理を再度実行する。
【００６５】
（ステップＳ２０６）制御部１０１は、通常モードへ復帰する。その後、ステップＳ２０７の処理に進む。
（ステップＳ２０７）制御部１０１は、変更した表示部１０３のコントラストを通常時のものに戻す。その後、ステップＳ２０１の処理に戻る。
【００６６】
なお、上述したフローチャートでは、リスト端末１００は、通常モードへ復帰する際に、表示部１０３のコントラストを通常時のものに戻しているが、これに限らず、通常モードへ復帰するタイミングとは異なるタイミングでコントラストを戻してもよい。例えば、リスト端末１００は、コントラストを変更してから所定時間経過後に自動でコントラストを戻してもよいし、操作ボタン１０５が入力を受け付けた際等にコントラストを戻してもよい。
【００６７】
また、ステップＳ２０２において照度と比較する第１の閾値と、ステップＳ２０５において照度と比較する第２の閾値とは、同じ値であってもよいし、異なる値であってもよい。例えば、第２の閾値は、第１の閾値より大きい値であってもよい。
【００６８】
また、ステップＳ２０２において、所定時間以上照度が閾値以下の状態が続いている場合に、ステップＳ２０３の処理に進んで節電モードへ移行するようにしてもよい。同様に、ステップＳ２０５において、所定時間以上照度が閾値以上の状態が続いた場合に、ステップＳ２０６の処理に進んで通常モードへ復帰するようにしてもよい。
【００６９】
上述したとおり、本実施形態におけるリスト端末１００は、表示対象を表示する表示部１０３と、表示部１０３の表示に用いる電力を発電するソーラ発電部１０８の発電状態を判定するための照度検出部１０７と、照度検出部１０７の出力値が所定閾値以下である場合に節電モードに移行する制御を行う制御部１０１であって、照度検出部１０７の出力値が所定閾値以下である場合に表示部１０３の表示対象のコントラストを変更する制御部１０１と、を備える。
【００７０】
これにより、リスト端末１００は、節電モードに移行する際に、自動的にコントラストを変更することができる。このため、コントラスを向上させる必要がある場面（例えば、暗い場所）にて、ユーザが意識することなく、自動的にコントラストを変更して視認性を向上させ、より視認しやすい表示に切り替えることができる。また、それ以外の状況では、通常時のカラー表示を保つことができ、コントラストを向上させて表示を視認しやすくする必要がある状況のときのみ、コントラストを変更することができる。また、リスト端末１００は、コントラスト変更に専用の処理を設けず、節電モード移行用の照度検出処理と兼用している。よって、リスト端末１００は、切替のみを意識したユーザによる切替操作や、装置の処理部により暗い場所での撮影かどうかを判定する処理等を特別に設けることなく、ユーザの使用状態に応じたコントラスト切替が可能である。つまり、コントラスト変更の処理に関わる専用のハードウェアの増設が不要であり、処理負荷の増大を抑制できる。これにより、ハードウェアの配置に制限があり、電力的に処理量に制限がある、リスト端末１００においても、使用状態毎のユーザによる表示部１０３の視認性を向上させ、その利便性を確保できる。
【００７１】
なお、上述した実施形態におけるリスト端末１００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００７２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００７３】
以上、本発明の実施形態について説明したが、本発明は、上記実施形態に限定されるものではなく、本発明の趣旨を逸脱しない範囲において種々の変更を加えることが可能である。
【００７４】
例えば、上述した実施形態では、時刻を数字で表示するデジタル時計を例に説明したが、これに限らず、例えば、表示部１０３に時刻を指針で表示する場合にも適用可能である。図１１は、指針で時刻を表示する場合における表示例を示すイメージ図である。図１１（Ａ）は、通常時の表示態様の一例を示す。図１１（Ｂ）は、コントラスト変更後の表示態様の一例を示す。本図に示す例では、表示制御部１０１２は、指針の太さを太くすることにより、コントラストを変更する。なお、本例に限らず、表示制御部１０１２は、上述した第１の方法により、カラー表示している指針を白黒表示に変更することにより、コントラストを変更してもよい。或いは、表示制御部１０１２は、上述した第１の方法及び第２の方法を組み合わせて、カラー表示している指針を白黒表示に変更するとともに、指針の太さを太くすることにより、コントラストを変更してもよい。
【００７５】
また、リスト端末１００は、デジタル時計に限らず、例えば、デジタル表示とアナログの指針を組み合わせた腕時計等、他の電子機器であってもよい。
【００７６】
また、上述した実施形態では、表示対象として時刻を一例に説明したが、これに限らず、表示対象は他の文字列や図等であってもよい。
【００７７】
以上、本発明を実施するための形態について実施形態を用いて説明したが、本発明はこうした実施形態に何等限定されるものではなく、本発明の要旨を逸脱しない範囲内において種々の変形および置換を加えることができる。
【符号の説明】
【００７８】
１００…リスト端末、１０１…制御部、１０２…記憶部、１０３…表示部、１０４…明るさ操作ボタン、１０５…操作ボタン、１０６…電池、１０７…照度検出部、１０８…ソーラ発電部、１０１１…変更部、１０１２…表示制御部
【図１】
2019158972.tif 000003
【図２】
2019158972.tif 000004
【図３】
2019158972.tif 000005
【図４】
2019158972.tif 000006
【図５】
2019158972.tif 000007
【図６】
2019158972.tif 000008
【図７】
2019158972.tif 000009
【図８】
2019158972.tif 000010
【図９】
2019158972.tif 000011
【図１０】
2019158972.tif 000012
【図１１】
2019158972.tif 000013